(57)【要約】      （修正有）【課題】吸水性素材を装着した柄部を掴んで使用することを基本とし、吸水性素材の着脱を容易に行うことのできる水滴拭き取り具を提供する。【解決手段】吸水性素材を装着した柄部を備え、柄部が、開き口１１を有する筒状ホルダー１０と、開き口１１を通して筒状ホルダー１０の略全長部分に嵌脱される棒状の押込み軸体３０と、筒状ホルダー１０及び押込み軸体３０の先端部同士を回動可能に連結して両者を開閉可能とする結合機構５０とを有する。【選択図】図５
0003226166.tif 000002
【実用新案登録請求の範囲】
【請求項１】
吸水性素材を装着した柄部を掴んで使用する水滴拭き取り具であって、
上記柄部が、軸方向に延びる開き口を有する断面欠円形状の筒状ホルダーと、上記開き口を通して上記筒状ホルダーの略全長部分に嵌脱される棒状の押込み軸体と、これらの筒状ホルダー及び押込み軸体の先端部同士を回動可能に連結して両者を開閉可能とする結合機構と、を有し、
上記筒状ホルダーと上記押込み軸体との間にシート状の柔軟な上記吸水性素材を配置してから筒状ホルダー又は押込み軸体を閉方向に回動させて両者を閉じ合わせることにより、上記押込み軸体が上記開き口を通して上記筒状ホルダーに嵌着され、かつ、上記吸水性素材が筒状ホルダーと押込み軸体との間で挟圧されるように構成されていることを特徴とする水滴拭き取り具。
【請求項２】
上記筒状ホルダーの先端部近傍箇所を上記開き口を始点として斜めに欠除することによって、当該開き口に、上記押込み軸体に対する山形の呼び込みガイド部を具備させた請求項１に記載した水滴拭き取り具。
【請求項３】
上記筒状ホルダー及び上記押込み軸体のそれぞれが、硬質のコア部とこのコア部の外周面を覆う柔軟な樹脂発泡体でなる被覆層とを有する請求項１又は請求項２のいずれか１項に記載した水滴拭き取り具。
【請求項４】
上記筒状ホルダーの先端部から突出している上記結合機構を外側から覆う柔軟な樹脂発泡体でなる被覆体が上記筒状ホルダーに設けられている請求項１ないし請求項３のいずれか１項に記載した水滴拭き取り具。
【請求項５】
筒状ホルダーの上記コア部が弾性拡縮変形可能な樹脂体でなる請求項１ないし請求項４のいずれか１項に記載した水滴拭き取り具。
【考案の詳細な説明】
【技術分野】
【０００１】
本考案は、水滴拭き取り具、特に、洗車後に車体やウインドガラスなどに残っている水滴の拭き取り作業に使用される水滴拭き取り具に関する。
【背景技術】
【０００２】
洗車後や雨に濡れた車体に残った水滴の拭き取り作業は、タオル地や吸水性樹脂クロスといった吸水性素材を手で掴んで行う手作業によることが多い。また、柄部の先端部に吸水性素材としての吸水性スポンジを装着してなる水滴拭き取り具も知られている。
【０００３】
先行例には、水滴の拭き取り作業に使用される洗車用水滴拭き取り器についての記述がある（特許文献１）。この特許文献１には、グリップに取り付けたシャフトに、帯状の合成拭き取りクロスを巻き付けて円柱状に保形したものを取り付けたり、円柱状の吸水スポンジを取り付けたりするものなどが記載されている。
【先行技術文献】
【特許文献】
【０００４】
【特許文献１】特開平９−２９５５５９号公報
【考案の概要】
【考案が解決しようとする課題】
【０００５】
しかしながら、手で掴んだタオル地や吸水性樹脂クロスなどで車体の水滴を拭き取る作業は、手の届きにくい場所が生じて多大な労力が必要になったりするという問題がある。また、特許文献１によって提案されているものは、シャフトに円柱状のクロスや吸水スポンジをただ単に取り付けてあるに過ぎないので、水滴を拭き取ることによって湿ったクロスや吸水スポンジを絞って水分を取り除くときに、シャフトに取り付けられたままのクロスや吸水スポンジを絞ることになるために十分に水分を絞り取ることができないという問題がある。
【０００６】
本考案は、以上の状況に鑑みてなされたものであり、シート状の吸水性素材を装着した柄部を掴んで使用することを基本とし、吸水性素材が吸水して湿ったときに、柄部から取り外した吸水性素材を絞って十分に水分を取り除くことができるようにすると共に、吸水性素材を柄部から取り外したり柄部に装着したりする操作を容易にかつ迅速に行うことのできる水滴拭き取り具を提供することを目的としている。
【課題を解決するための手段】
【０００７】
本考案に係る水滴拭き取り具は、吸水性素材を装着した柄部を掴んで使用する水滴拭き取り具であって、上記柄部が、軸方向に延びる開き口を有する断面欠円形状の筒状ホルダーと、上記開き口を通して上記筒状ホルダーの略全長部分に嵌脱される棒状の押込み軸体と、これらの筒状ホルダー及び押込み軸体の先端部同士を回動可能に連結して両者を開閉可能とする結合機構と、を有し、上記筒状ホルダーと上記押込み軸体との間にシート状の柔軟な上記吸水性素材を配置してから筒状ホルダー又は押込み軸体を閉方向に回動させて両者を閉じ合わせることにより、上記押込み軸体が上記開き口を通して上記筒状ホルダーに嵌着され、かつ、上記吸水性素材が筒状ホルダーと押込み軸体との間で挟圧されるように構成されている、というものである。
【０００８】
この考案によれば、筒状ホルダーと押込み軸体とを閉じ合わせたり開いたりするだけで、柄部にシート状の柔軟な吸水性素材を容易にかつ迅速に装着したり取り外したりすることができる。このため、水滴拭き取り後の湿った吸水性素材を柄部から取り外して絞ることにより十分に水分を取り除くことができ、しかも、絞った後の吸水性素材を即座に柄部に装着して水滴の拭き取り作業に使用することが可能になる。また、湿った吸水性素材を柄部から取り外して新たな吸水性素材を柄部に装着することも容易にかつ迅速に行うことができる。さらに、押込み軸体を筒状ホルダーの略全長部分に嵌脱する構成を採用したので、筒状ホルダーの略全長部分に相応する横幅を有する幅広の吸水性素材を使用して効率のよい拭き取り作業ができるだけでなく、作業者が柄部を掴んで使用するものであるので、吸水性素材を拭き取り面に満遍なく接触させることが容易になり、そのことが水滴の拭き残しを最少限度に抑えることにも役立つ。
【０００９】
この考案では、上記筒状ホルダーの先端部近傍箇所を上記開き口を始点として斜めに欠除することによって、当該開き口に、上記押込み軸体に対する山形の呼び込みガイド部を具備させておくことが望ましい。これによれば、押込み軸体を筒状ホルダーに嵌合させるときに、山形の呼び込みガイド部の作用によって押込み軸体が円滑に筒状ホルダーに嵌合されるようになる。
【００１０】
本考案では、上記筒状ホルダー及び上記押込み軸体のそれぞれが、硬質のコア部とこのコア部の外周面を覆う柔軟な樹脂発泡体でなる被覆層とを有することが望ましい。これによれば、たとえば車体やガラスなどを対象とする水滴の拭き取り作業中に、筒状ホルダーや押込み軸体の硬質のコア部の剛性によって筒状ホルダーや押込み軸体が湾曲したり折れ曲がったりして使い勝手や作業効率を低下させるという事態が抑制され、それにもかかわらず、硬質のコア部が対象に直接に当たるという事態が被覆層によって防止されるので、コア部が対象に直接に当たって対象を傷付けるといった事態が起こらなくなる。また、押込み軸体のコア部の外周面を覆っている柔軟な樹脂発泡体でなる被覆層は、押込み軸体を筒状ホルダーに開き口を通して閉じ合わせたり開いたりするときに容易に圧縮されて縮径変形するので、両者を楽に開閉することが可能になる。さらに、厚手の吸水性素材であっても薄手の吸水性素材であっても、吸水性素材を筒状ホルダーと押込み軸体との間で挟圧させたときには、吸水性素材の厚さに応じて押込み軸体のコア部の外周面を覆っている被覆層の厚さが変化して吸水性素材が無理なく挟圧されることになるので、吸水性素材が厚いか薄いかに係わらず良好な使い勝手が得られるという利点がある。そのほか、筒状ホルダーや押込み軸体の被覆層が柔軟な樹脂発泡体で形成されているために、当該樹脂発泡体の特性によって、水滴拭き取り作業中に筒状ホルダーや押込み軸体を掴んだ手が滑りにくくなり、そのことが使い勝手を高めることに役立つ。さらに、押込み軸体側の被覆層が柔軟な樹脂発泡体で形成されているために、筒状ホルダーと押込み軸体との間で挟圧されている吸水性素材が、拭き取り作業中に筒状ホルダーと押込み軸体との間から滑ってずれ落ちるといった事態が起こりにくいという利点もある。
【００１１】
本考案では、上記筒状ホルダーの先端部から突出している上記結合機構を外側から覆う柔軟な樹脂発泡体でなる被覆体が上記筒状ホルダーに設けられている、という構成を採用することが可能である。結合機構を筒状ホルダーの先端部から突出しない位置に設けることは可能であるけれども、仮に結合機構が筒状ホルダーの先端部から突出する位置に設けられているとしても、この考案のように、筒状ホルダーの先端部から突出している結合機構を外側から覆う柔軟な樹脂発泡体でなる被覆体を筒状ホルダーに設けておくと、車体やガラスなどの対象に結合機構が直接に当たって傷付けるといった事態が起こらなくなる。
本考案では、筒状ホルダーの上記コア部が弾性拡縮変形可能な樹脂体でなる、という構成を採用することが望ましい。これによれば、樹脂体に特有の弾性拡縮変形作用によって、筒状ホルダーに繰り返し押込み軸体を嵌脱しても、筒状ホルダーと押込み軸体との間で吸水性素材を挟圧する作用が損なわれにくいという利点がある。
【図面の簡単な説明】
【００１２】
【図１】本考案の実施形態に係る水滴拭き取り具を一部省略して示した側面図である。
【図２】筒状ホルダーを一部省略すると共に一部半截して示した側面図である。
【図３】押込み軸体を一部省略して示した側面図である。
【図４】筒状ホルダー及び押込み軸体の縦断正面図である。
【図５】結合機構による作用の説明図である。
【図６】柄部に対する吸水性素材の装着状態を縦断正面図で例示した説明図である。
【図７】柄部に対する吸水性素材の他の装着状態を縦断正面図で例示した説明図である。
【図８】柄部に対する吸水性素材のさらに他の装着状態を縦断正面図で例示した説明図である。
【考案を実施するための形態】
【００１３】
図１は本考案の実施形態に係る水滴拭き取り具Ａを一部省略して示した側面図、図２は筒状ホルダー１０を一部省略すると共に一部半截して示した側面図、図３は押込み軸体３０を一部省略して示した側面図、図４は筒状ホルダー１０及び押込み軸体３０の縦断正面図、図５は結合機構５０による作用の説明図である。また、図６〜図８は柄部１に対する吸水性素材７０の装着状態を縦断正面図で例示した説明図である。
【００１４】
図１のように、この水滴拭き取り具Ａは、筒状ホルダー１０及び押込み軸体３０の先端部同士を結合機構５０によって連結してなる柄部１を備えていて、柄部１の長さは、６０〜８０ｃｍ程度であり、この柄部１を掴んだ状態で使用される。
【００１５】
図２や図４などに示したように、筒状ホルダー１０は、所要長さ（６０〜８０ｃｍ程度）の硬質の樹脂体でなるパイプ材の周方向の１箇所に一定幅の欠除箇所を具備させることによって形成された開き口１１を有し、この開き口１１が筒状ホルダー１０の軸方向にまっすぐに延びている。このため、図例の筒状ホルダー１０では、開き口１１を有する硬質の樹脂体でなるパイプ材が弾性拡縮変形可能になっている。また、この筒状ホルダーでは、上記樹脂体でなるパイプ材が硬質のコア部１２を形成していて、このコア部１２の外周面全体が被覆層１３によって覆われている。このため、この筒状ホルダー１０は断面欠円形状に形成されている。さらに、図２に示されているように、この筒状ホルダー１０の先端部近傍箇所には、上記開き口１１の１箇所を始点ａとして斜めに欠除することによって形成された傾斜端面１４が具備されていて、この傾斜端面１４における始点ａの近傍箇所に山形の呼び込みガイド部１５が形成されている。この呼び込みガイド部１５は、後述する押込み軸体３０を筒状ホルダー１０の開き口１１に分け入らせて嵌合させる操作を円滑に行わせることに役立つ。
【００１６】
図３に示した押込み軸体３０は、アルミ管や樹脂管などの所要長さ（６０〜８０ｃｍ程度）の軽量なパイプ材でなる硬質のコア部３１とこのコア部３１の外周面を覆う被覆層３２とを有していて、図例の押込み軸体３０にあっては、コア部３１の先端部分が被覆層３２から突き出ている。押込み軸体３０の長さは、上記した筒状ホルダー１０の長さと略同一になっている。この押込み軸体３０は、上記した筒状ホルダー１０のコア部１２の弾性を利用しつつ、その開き口１１に分け入って筒状ホルダー１０の略全長部分に嵌脱可能な外周直径を有している。ここで、筒状ホルダー１０及び押込み軸体３０のそれぞれの被覆層１３，３２は、ポリウレタン樹脂やＥＶＡ架橋樹脂などの柔軟な樹脂発泡体でなり、それぞれのコア部１２．３１に接着剤を用いて接着されている。
【００１７】
図２又は図３のように、結合機構５０は、筒状ホルダー１０のコア部１２の先端部にビス止めなどの適宜手段で固定された第１部材５１と、押込み軸体３０のコア部３１の先端部にビス止めなどの適宜手段で固定された第２部材５２とを有している。そして、図１のように、第１及び第２の各部材５１，５２に備わっている軸孔５３，５４（図２及び図３参照）に貫通させたピン部材５５によって各部材５１，５２が回動可能に連結されている。この実施形態では、図示のように、筒状ホルダー１０及び押込み軸体３０の先端部から結合機構５０の第１部材５１や第２部材５２が突出している。そこで、この結合機構５０の第１部材５１や第２部材５２の突出部分を外側から覆う柔軟な側面視三角形の樹脂発泡体でなる被覆体１６が筒状ホルダー１０に設けられている。図例では、被覆体１６が筒状ホルダー１０の被覆層１３とは別体の樹脂発泡体で形成されていて、その被覆体１６が被覆層１３に積層状態で固着されているものを示しているけれども、この点は、被覆層１３を延長させることによって形成された延長部分を被覆体とし、そのような被覆体によって上記した結合機構５０の第１部材５１や第２部材５２の突出部分を外側から覆うように構成することも可能である。
【００１８】
結合機構５０によって先端部同士が連結されている筒状ホルダー１０と押込み軸体３０とは、図５に矢印Ｒで示したように閉方向及び開方向に開閉可能である。このため、たとえば、押込み軸体３０を閉方向に回動させてこの押込み軸体３０と筒状ホルダー１０とを閉じ合わせると、押込み軸体３０が筒状ホルダー１０の開き口１１に分け入って筒状ホルダー１０に嵌着される。この場合、押込み軸体３０が筒状ホルダー１０に嵌着される直前の段階では、筒状ホルダー１０の呼び込みガイド部１５の作用によって、押込み軸体３０が筒状ホルダー１０の開き口１１に円滑に分け入り、その後に、押込み軸体３０が開き口１１を押し拡げながら筒状ホルダー１０に無理なく嵌着する。筒状ホルダー１０を開方向に回動させて押込み軸体３０から開くときにも上記同様に作用する。加えて、押込み軸体３０のコア部３１の外周面を覆っている柔軟な樹脂発泡体でなる被覆層３２が、押込み軸体３０を筒状ホルダー１０に開き口１１を通して閉じ合わせたり開いたりするときに容易に圧縮されて縮径変形することから両者を楽に閉じ合わせたり開いたりすることが可能になる。
【００１９】
以上説明した水滴拭き取り具Ａにシート状の柔軟な吸水性素材７０を装着するときには、たとえば、図５のように筒状ホルダー１０と押込み軸体３０とを開き、両者１０，３０の間にシート状の柔軟な吸水性素材（不図示）を配置してから筒状ホルダー１０又は押込み軸体３０を閉方向に回動させて両者１０，３０を閉じ合わせる。このようにすると、押込み軸体３０が筒状ホルダー１０の開き口１１を通して筒状ホルダー１０に嵌着され、かつ、吸水性素材が筒状ホルダー１０と押込み軸体２０との間で挟圧される。これにより、吸水性素材が柄部１に装着される。この実施形態では、押込み軸体３０が柔軟な被覆層３２を備えていることにより、厚手の吸水性素材であっても薄手の吸水性素材であっても、吸水性素材を筒状ホルダー１０と押込み軸体３０との間で挟圧させたときには、吸水性素材の厚さに応じて押込み軸体３０側の被覆層３２の厚さが変化して吸水性素材が無理なく挟圧されることになるので、吸水性素材が厚いか薄いかに係わらず良好な使い勝手が得られる。
【００２０】
柄部１に対する吸水性素材７０の装着状態は、図６のように、吸水性素材７０の長手方向中間部を筒状ホルダー１０と押込み軸体２０との間で挟圧させ、吸水性素材７０の長手方向両端部を、柄部１に巻き付けることなく展開させたものであっても、図７のように、吸水性素材７０の長手方向一方側端部だけを筒状ホルダー１０と押込み軸体２０との間で挟圧させ、他方側端部を柄部１に巻き付けることなく展開させたものであっても、図８のように、吸水性素材７０の長手方向一方側端部だけを筒状ホルダー１０と押込み軸体２０との間で挟圧させ、他方側端部を柄部１に巻き付けたものであっても、さらには図示していないけれども、吸水性素材７０の長手方向中間部を筒状ホルダー１０と押込み軸体２０との間で挟圧させ、吸水性素材７０の長手方向両端部を柄部１に巻き付けたものであってもよい。
【００２１】
上記のように柄部１に吸水性素材７０を装着してから、作業者が、たとえば柄部１の他端部を手で掴んで車体やガラスなどに吸水性素材７０を接触させて水滴を吸収させる。このような水滴拭き取り作業は、作業者が柄部１の他端部を手で掴んで水滴を拭き取る作業であるので、拭き取り面に満遍なく吸水性素材７０を接触させることが容易になり、そのことが水滴の拭き残しを最少限度に抑えることにも役立つ。特に、この実施形態では、水滴の拭き取り作業中に、筒状ホルダー１０や押込み軸体３０の硬質のコア部１２，３１の剛性によって筒状ホルダー１０や押込み軸体３０が湾曲したり折れ曲がったりして使い勝手や作業効率が低下するという事態が防止されるにもかかわらず、コア部１２，３１が車体やガラスなどに直接に当たるという事態が被覆層１３，３２によって防止されるので、コア部１２，３１が車体やガラスに直接に当たってそれらを傷付けるといった事態も起こらない。同様に、筒状ホルダー１０や押込み軸体３０の先端部から突出している結合機構５０が柔軟な樹脂発泡体でなる被覆体１６によって外側から覆われているので、車体やガラスなどに結合機構５０が直接に当たって傷付けるといった事態も起こらない。
【００２２】
そのほか、筒状ホルダー１０や押込み軸体３０の被覆層１３，３２が柔軟な樹脂発泡体で形成されているために、当該樹脂発泡体の特性によって、水滴拭き取り作業中に筒状ホルダー１０や押込み軸体３０を掴んだ手が滑りにくくなり、そのことが使い勝手を高めることに役立つだけでなく、押込み軸体３０側の被覆層３２が柔軟な樹脂発泡体で形成されているために、筒状ホルダー１０と押込み軸体３０との間で挟圧されている吸水性素材７０が、拭き取り作業中に筒状ホルダー１０と押込み軸体３０との間から滑ってずれ落ちるといった事態も起こりにくくなり、そのことも使い勝手を高めることに役立つ。
【００２３】
また、この水滴拭き取り具Ａは、筒状ホルダー１０と押込み軸体３０とを閉じ合わせたり開いたりするだけで、柄部１にシート状の柔軟な吸水性素材７０を容易にかつ迅速に装着したり取り外したりすることができるため、水滴拭き取り後の湿った吸水性素材７０を柄部１から取り外して絞ることにより十分に水分を取り除くことができ、しかも、絞った後の吸水性素材７０を即座に柄部１に装着して水滴拭き取りのために使用することが可能になる。また、湿った吸水性素材７０を柄部１から取り外して新たな吸水性素材７０を柄部１に装着することも容易にかつ迅速に行うことができる。そのほか、押込み軸体３０を筒状ホルダー１０の略全長部分に嵌脱する構成を採用したので、筒状ホルダーの略全長部分に相応する横幅を有する幅広の吸水性素材７０を使用して効率のよい拭き取り作業をできるようになる。特に、上記したように柄部１の長さを６０〜８０ｃｍ程度に定めておくと、車幅の広いルーフの水滴を拭き取るときにも、手が届きにくい箇所が生じにくくなって拭き残し箇所が生じるといった状況が改善される。
【００２４】
この実施形態では、筒状ホルダー１０のコア部１２が弾性拡縮変形可能な樹脂体でなるので、樹脂体に特有の弾性拡縮変形作用によって、筒状ホルダー１０に繰り返し押込み軸体３０を嵌脱しても、筒状ホルダー１０と押込み軸体３０との間で吸水性素材７０を挟圧する作用が損なわれにくいという利点がある。
【００２５】
吸水性素材７０には、吸水性を有するタオルや吸水性に優れているマイクロファイバークロスなどの布素材を適宜利用することが可能である。
【符号の説明】
【００２６】
Ａ  水滴拭き取り具
１  柄部
１０  筒状ホルダー
１１  開き口
１２  筒状ホルダーのコア部
１３  筒状ホルダーの被覆層
１５  呼び込みガイド部
１６  被覆体
３０  押込み軸体
３１  押込み軸体のコア部
３２  押込み軸体の被覆層
５０  結合機構
７０  吸水性素材
【図１】
0003226166.tif 000003
【図２】
0003226166.tif 000004
【図３】
0003226166.tif 000005
【図４】
0003226166.tif 000006
【図５】
0003226166.tif 000007
【図６】
0003226166.tif 000008
【図７】
0003226166.tif 000009
【図８】
0003226166.tif 000010
【手続補正書】
【提出日】令和2年2月25日(2020.2.25)
【手続補正１】
【補正対象書類名】実用新案登録請求の範囲
【補正対象項目名】請求項５
【補正方法】変更
【補正の内容】
【請求項５】
筒状ホルダーの上記コア部が弾性拡縮変形可能な樹脂体でなる請求項３に記載した水滴拭き取り具。